(57)【要約】      （修正有）【課題】スレーブストロボをカメラ内蔵ストロボの発光、停止に対応し的確に発光・停止制御し得るスレーブストロボの発光・停止制御回路を提供。【解決手段】内蔵ストロボの反射光を検出する光センサ２、光センサ２の内蔵ストロボによる反射光検出開始時点でスタート信号を出力し反射光検出終了時点でストップ信号を出力する駆動制御部３、駆動制御部３からのスタート信号でパルス信号を出力しストップ信号でパルス信号の出力を停止するパルス発振部４、パルス発振部４のパルス信号休止期間のみ駆動制御部３を動作させる駆動制御部オンオフコントロール部５、パルス発振部４のパルス信号入力時点でスレーブストロボからパルス発光を開始、パルス信号の休止期間における光センサ２及び駆動制御部３の動作に基づいて反射光検出終了時点で出力するストップ信号に同期しスレーブストロボのパルス発光を停止させるストロボ駆動部６を有する。【選択図】図２
2009031558.tif 000002
【特許請求の範囲】
【請求項１】
カメラ内蔵ストロボに組み合わせるスレーブストロボの発光・発光停止回路であって、
カメラ内蔵ストロボによる反射光を検出する光センサと、
前記光センサのカメラ内蔵ストロボによる反射光検出開始時点でスタート信号を出力するとともに、反射光検出終了時点でストップ信号を出力する駆動制御部と、
前記駆動制御部からのスタート信号を基にパルス信号を出力し、ストップ信号によりパルス信号の出力を停止するパルス発振部と、
前記パルス発振部が出力するパルス信号の休止期間のみ前記駆動制御部を動作させる駆動制御部オンオフコントロール部と、
前記パルス発振部からのパルス信号の入力時点でスレーブストロボから発光期間、発光休止期間が連続するパルス発光を開始させ、前記パルス信号の休止期間における光センサ及び駆動制御部の動作に基づいて反射光検出終了時点で出力されるストップ信号に同期してスレーブストロボのパルス発光を停止させるストロボ駆動部と、
を有することを特徴とするスレーブストロボの発光・発光停止制御回路。
【請求項２】
カメラ内蔵ストロボに組み合わせるスレーブストロボの発光・発光停止回路であって、
カメラ内蔵ストロボによる反射光を検出する光センサと、
前記光センサのカメラ内蔵ストロボによる反射光検出開始時点でスタート信号を出力するとともに、反射光検出終了時点でストップ信号を出力する駆動制御部と、
前記駆動制御部からのスタート信号を基にパルス信号を出力し、ストップ信号によりパルス信号の出力を停止するパルス発振部と、
前記パルス発振部が出力するパルス信号の休止期間は前記駆動制御部を動作させ、パルス信号の出力期間は前記駆動制御部を不動作とする駆動制御部オンオフコントロール部と、
前記パルス発振部からのパルス信号の入力時点でスレーブストロボから発光期間、発光休止期間が連続するパルス発光を開始させ、前記パルス信号の休止期間、すなわちスレーブストロボの発光休止期間における光センサ及び駆動制御部の動作に基づいて反射光検出終了時点で出力されるストップ信号によるパルス発振部からのパルス信号の出力停止に同期してスレーブストロボのパルス発光を停止させるストロボ駆動部と、
を有することを特徴とするスレーブストロボの発光・発光停止制御回路。
【請求項３】
カメラ内蔵ストロボに組み合わせるスレーブストロボの発光・発光停止回路であって、
カメラ内蔵ストロボによる反射光を検出する光センサと、
前記光センサのカメラ内蔵ストロボによる反射光検出開始時点でスタート信号を出力するとともに、反射光検出終了時点でストップ信号を出力する駆動制御部と、
前記駆動制御部からのスタート信号を基にパルス信号を出力し、ストップ信号によりパルス信号の出力を停止するパルス発振部と、
前記パルス発振部からのパルス信号の入力時点で停止時までスレーブストロボをパルス発光させるストロボ駆動部と、
を有することを特徴とするスレーブストロボの発光・発光停止制御回路。
【発明の詳細な説明】
【技術分野】
【０００１】
本発明は、スレーブストロボの発光・発光停止制御回路に関するものである。
【背景技術】
【０００２】
一般に、カメラ内蔵ストロボにスレーブストロボを組み合わせたカメラシステムにおいてはカメラ内蔵ストロボとスレーブストロボとを協動させる状態で動作させることが被写体の適正な撮影のために要請される。
【０００３】
従来においては、カメラ内蔵ストロボに組み合わさるスレーブストロボは、光ファイバーケーブルを用いてカメラ内蔵ストロボの光の一部をスレーブストロボ自体に設けた受光部に導光してカメラ内蔵ストロボの発光開始を検出して発光を開始し、カメラ内蔵ストロボの発光停止を検出してその発光を停止する構成のカメラシステムが知られている。
しかし、この場合には、カメラ内蔵ストロボ、スレーブストロボ間に光ファイバーケーブルを付加するための構成が必要となり、構成が複雑化する。
【０００４】
また、スレーブストロボ側に反射光を検出する光センサを設けて、この光センサの検出信号によりカメラ内蔵ストロボの発光開始を検出して発光を開始し、カメラ内蔵ストロボの発光停止を検出してその発光を停止する構成のカメラシステムもしられている。
しかし、この場合には、スレーブストロボの光センサが、スレーブストロボ自らの発光による被写体からの反射光を検出してしまうと、カメラ内蔵ストロボの発光停止を検出することができなくなり、スレーブストロボの過剰な発光による露出オーバ写真（又は露出オーバ画像）が撮影されてしまうという不都合が生じる。
【０００５】
特許文献１には、マスターストロボ装置からの予備発光を受光する受光センサ、受光信号を微分する微分回路、ダイオード、電圧変換回路を備え、予備発光を確実に受信するように構成した受光装置及びスレーブストロボ装置が提案されている。しかし、この特許文献１の場合、主としてマスターストロボ装置からの予備発光を受信してスレーブストロボを発光させることを主体とするものである。
【特許文献１】特開２００６−０８４６１３号公報
【発明の開示】
【発明が解決しようとする課題】
【０００６】
本発明が解決しようとする問題点は、光ファイバーケーブル等を使用することなく、スレーブストロボをカメラ内蔵ストロボの発光、発光停止に対応し的確に発光・発光停止制御し得る簡略構成のスレーブストロボの発光・発光停止制御回路が存在しない点である。
【課題を解決するための手段】
【０００７】
本発明は、カメラ内蔵ストロボに組み合わせるスレーブストロボの発光・発光停止制御回路であって、カメラ内蔵ストロボによる反射光を検出する光センサと、前記光センサのカメラ内蔵ストロボによる反射光検出開始時点でスタート信号を出力するとともに、反射光検出終了時点でストップ信号を出力する駆動制御部と、前記駆動制御部からのスタート信号を基にパルス信号を出力し、ストップ信号によりパルス信号の出力を停止するパルス発振部と、前記パルス発振部が出力するパルス信号の休止期間のみ前記駆動制御部を動作させる駆動制御部オンオフコントロール部と、前記パルス発振部からのパルス信号の入力時点でスレーブストロボから発光期間、発光休止期間が連続するパルス発光を開始させ、前記パルス信号の休止期間における光センサ及び駆動制御部の動作に基づいて反射光検出終了時点で出力されるストップ信号に同期してスレーブストロボのパルス発光を停止させるストロボ駆動部と、を有することを最も主要な特徴とする。
【発明の効果】
【０００８】
請求項１及び２記載の発明によれば、光ファイバケーブルを用いない簡略な構成で、スレーブストロボをカメラ内蔵ストロボの発光、発光停止に対応し的確に発光・発光停止制御でき、特にスレーブストロボの発光休止期間における光センサ及び駆動制御部の動作に基づいて内蔵ストロボの発光停止を確実に検出し、スレーブストロボのパルス発光を停止させることができ、過剰な発光による不適正な写真（又は画像）が撮影されてしまうというような不都合を無くすことができるスレーブストロボの発光・発光停止制御回路を提供することができる。
【０００９】
請求項３記載の発明によれば、光ファイバケーブルを用いない簡略な構成で、スレーブストロボをカメラ内蔵ストロボの発光、発光停止に対応し的確に発光・発光停止制御でき、過剰な発光による不適正な写真（又は画像）が撮影されてしまうというような不都合を無くすことができるスレーブストロボの発光・発光停止制御回路を提供することができる。
【発明を実施するための最良の形態】
【００１０】
本発明は、光ファイバーケーブル等を使用することなく、スレーブストロボをカメラ内蔵ストロボの発光、発光停止に対応し的確に発光・発光停止制御し得る簡略構成のスレーブストロボの発光・発光停止制御回路を提供するという目的を、カメラ内蔵ストロボによる反射光を検出する光センサと、前記光センサのカメラ内蔵ストロボによる反射光検出開始時点でスタート信号を出力するとともに、反射光検出終了時点でストップ信号を出力する駆動制御部と、前記駆動制御部からのスタート信号を基にパルス信号を出力し、ストップ信号によりパルス信号の出力を停止するパルス発振部と、前記パルス発振部が出力するパルス信号の休止期間は前記駆動制御部を動作させ、パルス信号の出力期間は前記駆動制御部を不動作とする駆動制御部オンオフコントロール部と、前記パルス発振部からのパルス信号の入力時点でスレーブストロボから発光期間、発光休止期間が連続するパルス発光を開始させ、前記パルス信号の休止期間、すなわちスレーブストロボの発光休止期間における光センサ及び駆動制御部の動作に基づいて反射光検出終了時点で出力されるストップ信号によるパルス発振部からのパルス信号の出力停止に同期してスレーブストロボのパルス発光を停止させるストロボ駆動部と、を有する構成により実現した。
【実施例】
【００１１】
以下に、本発明の実施例に係るスレーブストロボの発光・発光停止制御回路について図面を参照して詳細に説明する。
【００１２】
（実施例１）
図１乃至図３を参照して本発明の実施例１に係るスレーブストロボ１３の発光・発光停止制御回路１及びカメラシステム１１について説明する。
【００１３】
図１は、本実施例１に係るカメラシステム１１を示すものであり、カメラシステム１１は、例えばデジタルカメラ等からなるカメラ１２と、このカメラ１２に連結具１４を用いて連結したスレーブストロボ１３とを有している。
【００１４】
前記カメラ１２は、カメラ本体の前面に対物レンズ部１５、内蔵ストロボ１６を備えている。また、前記スレーブストロボ１３は、被写体（図示せず）に対向させる前面に、ストロボ発光部１７を備え、側面に内蔵ストロボ１６からの直接光及び被写体からの反射光を検出する光センサ２を備えている。
【００１５】
次に、図２、図３を参照して本実施例１に係るスレーブストロボ１３の発光・発光停止制御回路１について詳述する。
【００１６】
この発光・発光停止制御回路１は、前記内蔵ストロボ１６による内蔵ストロボ１６からの直接光及び被写体からの反射光を検出するフォトトランジスタ等からなる光センサ２と、前記光センサ２の内蔵ストロボ１６による反射光検出開始時点でスタート信号を出力するとともに、反射光検出終了時点でストップ信号を出力するフリップフロップ回路等からなる駆動制御部３と、前記駆動制御部３からのスタート信号を基にパルス信号を出力し、ストップ信号によりパルス信号の出力を停止するパルス発振部４と、前記パルス発振部４が出力するパルス信号を取り込み、その休止期間は前記駆動制御部３を動作させ、パルス信号の出力期間は前記駆動制御部３を不動作とするオンオフ信号を前記駆動制御部３に送出する駆動制御部オンオフコントロール部５と、前記パルス発振部４からのパルス信号の入力時点でスレーブストロボ１３から発光期間、発光休止期間が連続するパルス発光を開始させ（スレーブストロボ１３のストロボランプの発光を開始させ）、前記パルス信号の休止期間、すなわちスレーブストロボ１３の発光休止期間における光センサ２及び駆動制御部３の動作に基づいて反射光検出終了時点で出力されるストップ信号によるパルス発振部４からのパルス信号の出力停止に同期して前記スレーブストロボ１３のパルス発光を停止させる（スレーブストロボ１３のストロボランプの発光を止める）ストロボ駆動部６と、を有している。
【００１７】
次に、本実施例１に係るスレーブストロボ１３の発光・発光停止制御回路１の動作について、図３をも参照して説明する。
【００１８】
本実施例１に係る発光・発光停止制御回路１において、前記カメラ１２を被写体に向け内蔵ストロボ１６を発光させて（図３（ａ））撮影を行うと、光センサ２は、被写体からの反射光を検出する（図３（ｂ））。
【００１９】
前記駆動制御部３は、前記光センサ２により検出する内蔵ストロボ１６による反射光検出開始時点でスタート信号を出力する（図３（ｃ））。
【００２０】
前記パルス発振部４は、前記駆動制御部３からのスタート信号を基にパルス信号を出力する（図３（ｄ））。
【００２１】
前記駆動制御部オンオフコントロール部５は、前記パルス発振部４が出力するパルス信号を取り込み、その休止期間は前記駆動制御部３を動作させ、パルス信号の出力期間は前記駆動制御部３を不動作とするオンオフ信号を前記駆動制御部３に送出する（図３（ｅ））。
【００２２】
前記ストロボ駆動部６は、前記パルス発振部４からのパルス信号の入力時点でスレーブストロボ１３から発光期間、発光休止期間が連続するパルス発光を開始させる（図３（ｆ））。
【００２３】
また、前記ストロボ駆動部６は、前記パルス信号の休止期間、すなわちスレーブストロボ１３の発光休止期間における光センサ２及び駆動制御部３の動作に基づいて、反射光検出終了時点で出力されるストップ信号（図３（ｇ））によるパルス発振部４からのパルス信号の出力停止に同期して前記スレーブストロボ１３のパルス発光を停止させる。
【００２４】
このような本実施例１に係るスレーブストロボ１３の発光・発光停止制御回路１の動作によって、光ファイバケーブルを用いない簡略な構成で、前記パルス信号の休止期間、換言すればスレーブストロボ１３の発光休止期間における光センサ２及び駆動制御部３の動作に基づいて前記スレーブストロボ１３のパルス発光を停止させることができる。
【００２５】
すなわち、スレーブストロボ１３自体の発光休止期間において内蔵ストロボ１６の発光停止を確実に検出し、スレーブストロボ１３のパルス発光を停止させることで、スレーブストロボ１３の過剰な発光による露出オーバ写真（又は露出オーバ画像）が撮影されてしまうというような不都合を無くすことができる。
【００２６】
（実施例２）
図４及び図５を参照して本発明の実施例２に係るスレーブストロボの発光・発光停止制御回路１Ａについて説明する。
【００２７】
本実施例２に係るスレーブストロボの発光・発光停止制御回路１Ａは、基本的な構成は実施例１に係るスレーブストロボの発光・発光停止制御回路１と同様であるため、同一要素には同一符号を付し、その詳細な説明は省略する。
【００２８】
本実施例２に係るスレーブストロボの発光・発光停止制御回路１Ａは、既述した実施例１に係るスレーブストロボの発光・発光停止制御回路１の構成から前記駆動制御部オンオフコントロール部５の構成を省いたものであり、残余の構成は既述した場合と同様である。
【００２９】
次に、本実施例２に係るスレーブストロボ１３の発光・発光停止制御回路１Ａの動作について、図５をも参照して説明する。
【００３０】
本実施例２に係る発光・発光停止制御回路１Ａにおいて、前記カメラ１２を被写体に向け内蔵ストロボ１６を発光させて（図５（ａ））撮影を行うと、光センサ２は、被写体からの反射光を検出する（図５（ｂ））。
【００３１】
前記駆動制御部３は、前記光センサ２により検出する内蔵ストロボ１６による反射光検出開始時点でスタート信号を出力する（図５（ｃ））。
【００３２】
前記パルス発振部４は、前記駆動制御部３からのスタート信号を基にパルス信号を出力する（図５（ｄ））。
【００３３】
前記ストロボ駆動部６は、前記パルス発振部４からのパルス信号の入力時点でスレーブストロボ１３から発光期間、発光休止期間が連続するパルス発光を開始させる（図５（ｅ））。
【００３４】
また、前記駆動制御部３は、前記光センサ２により検出する内蔵ストロボ１６による反射光検出終了時点でストップ信号を出力する（図５（ｆ））。これにより、前記パルス発振部４からのパルス信号が停止し、ストロボ駆動部６によるスレーブストロボ１３の駆動が停止してパルス発光が無くなる。
【００３５】
このような本実施例２に係るスレーブストロボ１３の発光・発光停止制御回路１Ａの動作によって、光ファイバケーブルを用いない簡略な構成で、前記光センサ２による被写体からの反射光の有無（明暗）の検出動作に基づいたスレーブストロボ１３のパルス発光停止を確実に実行でき、スレーブストロボ１３の過剰な発光による露出オーバ写真（又は露出オーバ画像）が撮影されてしまうというような不都合を無くすことができる。
【産業上の利用可能性】
【００３６】
本発明のスレーブストロボの発光・発光停止制御回路は、内蔵ストロボを備えるカメラと、このカメラに組み合わせるスレーブストロボとを有する各種のカメラシステム、例えば陸上撮影用カメラシステム、水中撮影用カメラシステム等の回路構成の一部として広範に適用可能である。
【図面の簡単な説明】
【００３７】
【図１】本発明の実施例１に係るスレーブストロボの発光・発光停止制御回路を備えるカメラシステムの外観斜視図である。
【図２】本実施例１に係るスレーブストロボの発光・発光停止制御回路のブロック図である。
【図３】本実施例１に係るスレーブストロボの発光・発光停止制御回路の各部の信号波形及びそのタイミングチャートを示す図である。
【図４】本発明の実施例２に係るスレーブストロボの発光・発光停止制御回路のブロック図である。
【図５】本実施例に係るスレーブストロボの発光・発光停止制御回路の各部の信号波形及びそのタイミングチャートを示す図である。
【符号の説明】
【００３８】
１    発光・発光停止制御回路
１Ａ  発光・発光停止制御回路
２    光センサ
３    駆動制御部
４    パルス発振部
５    駆動制御部オンオフコントロール部
６    ストロボ駆動部
１１    カメラシステム
１２    カメラ
１３    スレーブストロボ
１４    連結具
１５    対物レンズ部
１６    内蔵ストロボ
１７    ストロボ発光部
【図１】
2009031558.tif 000003
【図２】
2009031558.tif 000004
【図３】
2009031558.tif 000005
【図４】
2009031558.tif 000006
【図５】
2009031558.tif 000007